(57)【特許請求の範囲】
【請求項１】
オンラインでアタッチされるユーザの総数を制御するための方法であって、
総ユーザ数制御装置により、ネットワーク側の装置が送信した認可要求を受信するステップであって、前記認可要求は、少なくとも第1のユーザ機器（UE）の識別情報と第1の仮想移動体通信事業者（MVNO）の識別情報とを含む、ステップと、
前記総ユーザ数制御装置により、前記第1のMVNOの識別情報と前記第1のUEの識別情報とに従って、前記第1のMVNOのオンラインでアタッチされるユーザが前記第1のUEを含むかどうかを判定するステップと、
前記第1のMVNOのオンラインでアタッチされるユーザが前記第1のUEを含まず、かつ前記第1のMVNOのオンラインでアタッチされるユーザの総数が閾値未満である場合、前記総ユーザ数制御装置により、前記第1のMVNOのオンラインでアタッチされるユーザの前記総数を増やし、前記第1のUEを前記第1のMVNOのオンラインでアタッチされるユーザに加えるステップと、
前記総ユーザ数制御装置により、認可成功情報を前記ネットワーク側の装置に返すステップと
を含む方法。
【請求項２】
前記第1のMVNOのオンラインでアタッチされるユーザが前記第1のUEを含まず、かつ前記第1のMVNOのオンラインでアタッチされるユーザの前記総数が前記閾値を超える場合、前記総ユーザ数制御装置により、認可失敗情報を前記ネットワーク側の装置に返すステップ
をさらに含む、請求項1に記載の方法。
【請求項３】
オンラインでアタッチされるユーザの総数を制御するための方法であって、
総ユーザ数制御装置により、ネットワーク側の装置が送信した認可要求を受信するステップであって、前記認可要求は、少なくとも第1のユーザ機器（UE）の識別情報と第1の仮想移動体通信事業者（MVNO）の識別情報とを含む、ステップと、
前記総ユーザ数制御装置により、前記第1のMVNOの識別情報と前記第1のUEの識別情報とに従って、前記第1のMVNOのオンラインでアタッチされるユーザが前記第1のUEを含むかどうかを判定するステップと、
前記第1のMVNOのオンラインでアタッチされるユーザが前記第1のUEを含まない場合、前記総ユーザ数制御装置により、前記第1のMVNOのオンラインでアタッチされるユーザの総数を増やすステップと、
前記第1のMVNOのオンラインでアタッチされるユーザの増やした総数が閾値以下である場合、前記総ユーザ数制御装置により、前記第1のUEを前記第1のMVNOのオンラインでアタッチされるユーザに加え、認可成功情報を前記ネットワーク側の装置に返すステップ、または
前記第1のMVNOのオンラインでアタッチされるユーザが前記第1のUEを含まず、かつ前記第1のMVNOのオンラインでアタッチされるユーザの前記増やした総数が前記閾値を超える場合、前記総ユーザ数制御装置により、認可失敗情報を前記ネットワーク側の装置に返すステップと
を含む方法。
【請求項４】
オンラインでアタッチされるユーザの総数を制御するための方法であって、
総ユーザ数制御装置により、ネットワーク側の装置が送信した更新要求を受信するステップであって、前記更新要求は、少なくとも第1のUEの識別情報と第1のMVNOの識別情報とを含む、ステップと、
前記総ユーザ数制御装置により、前記更新要求内の前記第1のMVNOの識別情報に従って、前記第1のMVNOのオンラインでアタッチされるユーザの総数を減らし、前記第1のUEの識別情報に従って、前記第1のMVNOのオンラインでアタッチされるユーザから前記第1のUEを削除するステップと、
前記総ユーザ数制御装置により、更新要求確認情報を前記ネットワーク側の装置に返すステップと
を含む方法。
【請求項５】
オンラインでアタッチされるユーザの総数を制御するための方法であって、
ネットワーク側の装置により、第1のUEのデタッチ要求を確認するステップと、
前記ネットワーク側の装置により、前記第1のUEに対応する第1のMVNOを判定するステップと、
前記ネットワーク側の装置により、更新要求を総ユーザ数制御装置に送信するステップであって、前記更新要求は、少なくとも前記第1のUEの識別情報と前記第1のMVNOの識別情報とを含み、その結果、前記総ユーザ数制御装置は、前記第1のMVNOの識別情報に従って、前記第1のMVNOのオンラインでアタッチされるユーザの総数を減らし、前記第1のUEの識別情報に従って、前記第1のMVNOのオンラインでアタッチされるユーザから前記第1のUEを削除し、更新要求確認情報を前記ネットワーク側の装置に返す、ステップと
を含む方法。
【請求項６】
前記ネットワーク側の装置により、前記第1のUEに対応する第1のMVNOを判定する前記ステップが、
前記ネットワーク側の装置により、UE識別情報とMVNO識別情報との間の対応を検索して、前記第1のUEの識別情報に対応する前記第1のMVNOの識別情報を判定するステップ
を含む、請求項5に記載の方法。
【請求項７】
総ユーザ数制御装置であって、
ネットワーク側の装置が送信した認可要求を受信するように構成された認可要求受信ユニットであって、前記認可要求は、少なくとも第1のUEの識別情報と第1のMVNOの識別情報とを含む、認可要求受信ユニットと、
前記第1のMVNOの識別情報と前記第1のUEの識別情報とに従って、前記第1のMVNOのオンラインでアタッチされるユーザが前記第1のUEを含むかどうかを判定し、前記第1のMVNOのオンラインでアタッチされるユーザの総数が閾値未満かどうかを判定するように構成された判定ユニットと、
前記判定ユニットが、前記第1のMVNOのオンラインでアタッチされるユーザが前記第1のUEを含まず、かつ前記第1のMVNOのオンラインでアタッチされるユーザの前記総数が前記閾値未満であると判定した場合、前記第1のMVNOのオンラインでアタッチされるユーザの前記総数を増やし、前記第1のUEを前記第1のMVNOのオンラインでアタッチされるユーザに加えるように構成された総ユーザ数制御ユニットと、
前記判定ユニットが、前記第1のMVNOのオンラインでアタッチされるユーザが前記第1のUEを含まず、かつ前記第1のMVNOのオンラインでアタッチされるユーザの前記総数が前記閾値未満であると判定した場合、認可成功情報を前記ネットワーク側の装置に返すように構成された認可応答送信ユニットと
を備える装置。
【請求項８】
前記認可応答送信ユニットは、前記判定ユニットが、前記第1のMVNOのオンラインでアタッチされるユーザが前記第1のUEを含まず、かつ前記第1のMVNOのオンラインでアタッチされるユーザの前記総数が前記閾値を超えると判定した場合、認可失敗情報を前記ネットワーク側の装置に返すようにさらに構成される、請求項7に記載の装置。
【請求項９】
総ユーザ数制御装置であって、
ネットワーク側の装置が送信した認可要求を受信するように構成された認可要求受信ユニットであって、前記認可要求は、少なくとも第1のUEの識別情報と第1のMVNOの識別情報とを含む、認可要求受信ユニットと、
前記第1のMVNOの識別情報と前記第1のUEの識別情報とに従って、前記第1のMVNOのオンラインでアタッチされるユーザが前記第1のUEを含むかどうかを判定するように構成された第1の判定ユニットと、
前記第1の判定ユニットが、前記第1のMVNOのオンラインでアタッチされるユーザが前記第1のUEを含まないと判定した場合、前記第1のMVNOのオンラインでアタッチされるユーザの総数を増やし、前記第1のUEを前記第1のMVNOのオンラインでアタッチされるユーザに加えるように構成された総ユーザ数制御ユニットと、
前記総ユーザ数制御ユニットが増やした前記第1のMVNOのオンラインでアタッチされるユーザの総数が閾値以下であるかどうかを判定するように構成された第2の判定ユニットと、
前記第2の判定ユニットが、前記第1のMVNOのオンラインでアタッチされるユーザの前記増やした総数が前記閾値以下であると判定した場合、認可成功情報を前記ネットワーク側の装置に返すように、または前記第2の判定ユニットが、前記第1のMVNOのオンラインでアタッチされるユーザの前記増やした総数が前記閾値を超えると判定した場合、認可失敗情報を前記ネットワーク側の装置に返すように構成された認可応答送信ユニットと
を備える装置。
【請求項１０】
総ユーザ数制御装置であって、
ネットワーク側の装置が送信した更新要求を受信するように構成された更新要求受信ユニットであって、前記更新要求は、少なくとも第1のUEの識別情報と第1のMVNOの識別情報とを含む、更新要求受信ユニットと、
前記更新要求内の前記第1のMVNOの識別情報に従って、前記第1のMVNOのオンラインでアタッチされるユーザの総数を減らし、前記第1のUEの識別情報に従って、前記第1のMVNOのオンラインでアタッチされるユーザから前記第1のUEを削除するように構成された総ユーザ数制御ユニットと、
更新要求確認情報を前記ネットワーク側の装置に返すように構成された更新応答送信ユニットと
を備える装置。
【請求項１１】
ネットワーク側の装置であって、
第1のUEのデタッチ要求を確認するように構成された要求確認ユニットと、
前記第1のUEに対応する第1のMVNOを判定するように構成された情報判定ユニットと、
更新要求を総ユーザ数制御装置に送信するように構成された情報送信ユニットであって、前記更新要求は、少なくとも前記第1のUEの識別情報と前記第1のMVNOの識別情報とを含み、その結果、前記総ユーザ数制御装置は、前記第1のMVNOの識別情報に従って、前記第1のMVNOのオンラインでアタッチされるユーザの総数を減らし、前記第1のUEの識別情報に従って、前記第1のMVNOのオンラインでアタッチされるユーザから前記第1のUEを削除し、更新要求確認情報を前記ネットワーク側の装置に返す、情報送信ユニットと
を備えるネットワーク側の装置。
【請求項１２】
前記情報判定ユニットは、UE識別情報とMVNO識別情報との間の対応を検索して、前記第1のUEの識別情報に対応する前記第1のMVNOの識別情報を判定するようにさらに構成される、請求項11に記載のネットワーク側の装置。
【請求項１３】
オンラインでアタッチされるユーザの総数を制御するためのシステムであって、
ネットワーク側の装置と、
総ユーザ数制御装置と
を含み、
前記ネットワーク側の装置は、第1のUEのアタッチ要求または第1のUEの追跡エリア更新要求を受信し、前記第1のUEに対応する第1のMVNOを判定し、認可要求を前記総ユーザ数制御装置に送信するように構成され、
前記認可要求は、少なくとも前記第1のUEの識別情報と前記第1のMVNOの識別情報とを含み、
前記総ユーザ数制御装置は、
前記ネットワーク側の装置が送信した前記認可要求を受信し、前記第1のMVNOの識別情報と前記第1のUEの識別情報とに従って、前記第1のMVNOのオンラインでアタッチされるユーザが前記第1のUEを含むかどうかを判定し、前記第1のMVNOのオンラインでアタッチされるユーザが前記第1のUEを含まない場合、前記第1のMVNOのオンラインでアタッチされるユーザの総数を増やし、前記第1のUEを前記第1のMVNOのオンラインでアタッチされるユーザに加え、前記第1のMVNOのオンラインでアタッチされるユーザの増やした総数が閾値以下である場合、認可成功情報を前記ネットワーク側の装置に返すように構成されるか、または
前記ネットワーク側の装置が送信した前記認可要求を受信し、前記第1のMVNOの識別情報と前記第1のUEの識別情報とに従って、前記第1のMVNOのオンラインでアタッチされるユーザが前記第1のUEを含むかどうかを判定し、前記第1のMVNOのオンラインでアタッチされるユーザの総数が閾値未満かどうかを判定し、前記第1のMVNOのオンラインでアタッチされるユーザが前記第1のUEを含まず、かつ前記第1のMVNOのオンラインでアタッチされるユーザの前記総数が前記閾値未満である場合、前記第1のMVNOのオンラインでアタッチされるユーザの前記総数を増やし、前記第1のUEを前記第1のMVNOのオンラインでアタッチされるユーザに加え、認可成功情報を前記ネットワーク側の装置に返すように構成される、システム。
【請求項１４】
オンラインでアタッチされるユーザの総数を制御するためのシステムであって、
ネットワーク側の装置と、
総ユーザ数制御装置と
を含み、
前記ネットワーク側の装置は、第1のUEのデタッチ要求を確認し、前記第1のUEに対応する第1のMVNOを判定し、更新要求を前記総ユーザ数制御装置に送信するように構成され、
前記更新要求は、少なくとも前記第1のUEの識別情報と前記第1のMVNOの識別情報とを含み、
前記総ユーザ数制御装置は、前記ネットワーク側の装置が送信した前記更新要求を受信し、前記更新要求内の前記第1のMVNOの識別情報に従って、前記第1のMVNOのオンラインでアタッチされるユーザの総数を減らし、前記第1のUEの識別情報に従って、前記第1のMVNOのオンラインでアタッチされるユーザから前記第1のUEを削除し、更新要求確認情報を前記ネットワーク側の装置に返すように構成される、システム。
【発明の詳細な説明】
【技術分野】
【０００１】
本発明は、通信技術の分野に関し、具体的には、仮想移動体通信事業者（Mobile Virtual Network Operator、MVNO）の、オンラインでアタッチされるユーザの総数を制御するための方法、装置、およびシステムに関する。
【背景技術】
【０００２】
MVNOは、通信市場の開放の過程で通信業から分かれたサービス業である。MVNOは、一般的に、移動体通信事業許可を持たなかったり、開発規模が限られていたりすることから、自らのユーザを開拓し、基盤となる移動体通信事業者（Mobile Network Operator、MNO）の既存のネットワークを利用し、MNOのネットワーク装置を貸し出すことによって、ユーザにサービスを提供する事業者を指す。
【０００３】
MVNOの参入に伴って、1つのMNOのネットワークが複数のMVNOにサービスを提供することがあるため、MNOは、MVNOを制御および管理する必要がある。MNOがMVNOとの協力契約にサインする場合、MVNOがユーザを過度に増やして、MNOのネットワークリソースを過度に占有する事態を招かないように、またネットワーク装置の輻輳を避けるために、MNOは、MVNOのユーザ数を明確に規定する。しかしながら、従来技術には、MVNOのオンラインでアタッチされるユーザの総数を効果的に制御することに関してMNOを支援するための関連技術はまだない。
【発明の概要】
【課題を解決するための手段】
【０００４】
本発明の実施形態は、オンラインでアタッチされるユーザの総数を制御するための方法、装置、およびシステムを提供し、その結果、MNOは、MVNOのオンラインでアタッチされるユーザの総数を効果的に制御できる。
【０００５】
上記技術的課題を解決するために、本発明の実施形態は、以下の技術的解決策を開示する。
【０００６】
第1の実施態様によれば、オンラインでアタッチされるユーザの総数を制御するための方法が提供され、本方法は、
総ユーザ数制御装置により、ネットワーク側の装置が送信した認可要求を受信するステップであって、認可要求は、少なくとも第1のユーザ機器UEの識別情報と第1の仮想ネットワーク事業者MVNOの識別情報とを含む、ステップと、
総ユーザ数制御装置により、第1のMVNOの識別情報と第1のUEの識別情報とに従って、第1のMVNOのオンラインでアタッチされるユーザが第1のUEを含むかどうかを判定するステップと、
第1のMVNOのオンラインでアタッチされるユーザが第1のUEを含まず、かつ第1のMVNOのオンラインでアタッチされるユーザの総数が閾値未満である場合、総ユーザ数制御装置により、第1のMVNOのオンラインでアタッチされるユーザの総数を増やし、第1のUEを第1のMVNOのオンラインでアタッチされるユーザに加えるステップと、
総ユーザ数制御装置により、認可成功情報をネットワーク側の装置に返すステップと
を含む。
【０００７】
上記第1の実施態様に関連して、第1の可能な実施方式では、本方法は、
第1のMVNOのオンラインでアタッチされるユーザが第1のUEを含まず、かつ第1のMVNOのオンラインでアタッチされるユーザの総数が閾値を超える場合、総ユーザ数制御装置により、認可失敗情報をネットワーク側の装置に返すステップ
をさらに含む。
【０００８】
第2の実施態様によれば、オンラインでアタッチされるユーザの総数を制御するための方法が提供され、本方法は、
総ユーザ数制御装置により、ネットワーク側の装置が送信した認可要求を受信するステップであって、認可要求は、少なくとも第1のユーザ機器UEの識別情報と第1の仮想ネットワーク事業者MVNOの識別情報とを含む、ステップと、
総ユーザ数制御装置により、第1のMVNOの識別情報と第1のUEの識別情報とに従って、第1のMVNOのオンラインでアタッチされるユーザが第1のUEを含むかどうかを判定するステップと、
第1のMVNOのオンラインでアタッチされるユーザが第1のUEを含まない場合、総ユーザ数制御装置により、第1のMVNOのオンラインでアタッチされるユーザの総数を増やすステップと、
第1のMVNOのオンラインでアタッチされるユーザの増やした総数が閾値以下である場合、総ユーザ数制御装置により、第1のUEを第1のMVNOのオンラインでアタッチされるユーザに加えるステップと、
総ユーザ数制御装置により、認可成功情報をネットワーク側の装置に返すステップと
を含む。
【０００９】
上記第2の実施態様に関連して、第1の可能な実施方式では、本方法は、
第1のMVNOのオンラインでアタッチされるユーザが第1のUEを含まず、かつ第1のMVNOのオンラインでアタッチされるユーザの増やした総数が閾値を超える場合、総ユーザ数制御装置により、認可失敗情報をネットワーク側の装置に返すステップ
をさらに含む。
【００１０】
第3の実施態様によれば、オンラインでアタッチされるユーザの総数を制御するための方法が提供され、本方法は、
総ユーザ数制御装置により、ネットワーク側の装置が送信した更新要求を受信するステップであって、更新要求は、少なくとも第1のUEの識別情報と第1のMVNOの識別情報とを含む、ステップと、
総ユーザ数制御装置により、更新要求内の第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除するステップと、
総ユーザ数制御装置により、更新要求確認情報をネットワーク側の装置に返すステップと
を含む。
【００１１】
第4の実施態様によれば、オンラインでアタッチされるユーザの総数を制御するための方法が提供され、本方法は、
ネットワーク側の装置により、第1のUEのアタッチ要求または第1のUEの追跡エリア更新要求を受信するステップと、
ネットワーク側の装置により、第1のUEに対応する第1のMVNOを判定するステップと、
ネットワーク側の装置により、認可要求を総ユーザ数制御装置に送信するステップであって、認可要求は、少なくとも第1のUEの識別情報と第1のMVNOの識別情報とを含み、その結果、総ユーザ数制御装置は、第1のMVNOの識別情報と第1のUEの識別情報とに従って、総ユーザ数を制御する、ステップと
を含む。
【００１２】
上記第4の実施態様に関連して、第1の可能な実施方式では、ネットワーク側の装置により、第1のUEに対応する第1のMVNOを判定するステップは、
ネットワーク側の装置により、UE識別情報とMVNO識別情報との間の対応を検索して、第1のUEの識別情報に対応する第1のMVNOの識別情報を判定する、ステップ
を含む。
【００１３】
第5の実施態様によれば、オンラインでアタッチされるユーザの総数を制御するための方法が提供され、本方法は、
ネットワーク側の装置により、第1のUEのデタッチ要求を確認するステップと、
ネットワーク側の装置により、第1のUEに対応する第1のMVNOを判定するステップと、
ネットワーク側の装置により、更新要求を総ユーザ数制御装置に送信するステップであって、更新要求は、少なくとも第1のUEの識別情報と第1のMVNOの識別情報とを含み、その結果、総ユーザ数制御装置は、第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除し、更新要求確認情報をネットワーク側の装置に返す、ステップと
を含む。
【００１４】
上記第5の実施態様に関連して、第1の可能な実施方式では、ネットワーク側の装置により、第1のUEのデタッチ要求を確認するステップは、
ネットワーク側の装置により、第1のUEが送信したデタッチ要求を受信するステップ、または
ネットワーク側の装置により、MVNOホーム加入者サーバHSSが送信した第1のUEのデタッチ要求を受信するステップ、または
ネットワーク側の装置により、第1のUEのデタッチ要求を開始するステップ
を含む。
【００１５】
上記第5の実施態様または第5の実施態様の第1の可能な実施方式に関連して、第2の可能な実施方式では、ネットワーク側の装置により、第1のUEに対応する第1のMVNOを判定するステップは、
ネットワーク側の装置により、UE識別情報とMVNO識別情報との間の対応を検索して、第1のUEの識別情報に対応する第1のMVNOの識別情報を判定する、ステップ
を含む。
【００１６】
第6の実施態様によれば、総ユーザ数制御装置が提供され、本装置は、
ネットワーク側の装置が送信した認可要求を受信するように構成された認可要求受信ユニットであって、認可要求は、少なくとも第1のUEの識別情報と第1のMVNOの識別情報とを含む、認可要求受信ユニットと、
第1のMVNOの識別情報と第1のUEの識別情報とに従って、第1のMVNOのオンラインでアタッチされるユーザが第1のUEを含むかどうかを判定し、第1のMVNOのオンラインでアタッチされるユーザの総数が閾値未満かどうかを判定するように構成された判定ユニットと、
判定ユニットが、第1のMVNOのオンラインでアタッチされるユーザが第1のUEを含まず、かつ第1のMVNOのオンラインでアタッチされるユーザの総数が閾値未満であると判定した場合、第1のMVNOのオンラインでアタッチされるユーザの総数を増やし、第1のUEを第1のMVNOのオンラインでアタッチされるユーザに加えるように構成された総ユーザ数制御ユニットと、
判定ユニットが、第1のMVNOのオンラインでアタッチされるユーザが第1のUEを含まず、かつ第1のMVNOのオンラインでアタッチされるユーザの総数が閾値未満であると判定した場合、認可成功情報をネットワーク側の装置に返すように構成された認可応答送信ユニットと
を含む。
【００１７】
上記第5の実施態様に関連して、第1の可能な実施方式では、認可応答送信ユニットは、判定ユニットが、第1のMVNOのオンラインでアタッチされるユーザが第1のUEを含まず、かつ第1のMVNOのオンラインでアタッチされるユーザの総数が閾値を超えると判定した場合、認可失敗情報をネットワーク側の装置に返すようにさらに構成される。
【００１８】
第6の実施態様によれば、総ユーザ数制御装置が提供され、本装置は、
ネットワーク側の装置が送信した認可要求を受信するように構成された認可要求受信ユニットであって、認可要求は、少なくとも第1のUEの識別情報と第1のMVNOの識別情報とを含む、認可要求受信ユニットと、
第1のMVNOの識別情報と第1のUEの識別情報とに従って、第1のMVNOのオンラインでアタッチされるユーザが第1のUEを含むかどうかを判定するように構成された第1の判定ユニットと、
第1の判定ユニットが、第1のMVNOのオンラインでアタッチされるユーザが第1のUEを含まないと判定した場合、第1のMVNOのオンラインでアタッチされるユーザの総数を増やし、第1のUEを第1のMVNOのオンラインでアタッチされるユーザに加えるように構成された総ユーザ数制御ユニットと、
第1のユーザ管理ユニットが増やした第1のMVNOのオンラインでアタッチされるユーザの総数が閾値以下であるかどうかを判定するように構成された第2の判定ユニットと、
第2の判定ユニットが、第1のMVNOのオンラインでアタッチされるユーザの増やした総数が閾値以下であると判定した場合、認可成功情報をネットワーク側の装置に返すように構成された認可応答送信ユニットと
を含む。
【００１９】
上記第6実施態様に関連して、第1の可能な実施方式では、認可応答送信ユニットは、第2の判定ユニットが、第1のMVNOのオンラインでアタッチされるユーザの総数が閾値を超えると判定した場合、認可失敗情報をネットワーク側の装置に返すようにさらに構成される。
【００２０】
第7の実施態様によれば、総ユーザ数制御装置が提供され、本装置は、
ネットワーク側の装置が送信した更新要求を受信するように構成された更新要求受信ユニットであって、更新要求は、少なくとも第1のUEの識別情報と第1のMVNOの識別情報とを含む、更新要求受信ユニットと、
更新要求内の第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除するように構成された総ユーザ数制御ユニットと、
更新要求確認情報をネットワーク側の装置に返すように構成された更新応答送信ユニットと
を含む。
【００２１】
第8の実施態様によれば、ネットワーク側の装置が提供され、本装置は、
第1のUEのアタッチ要求または第1のUEの追跡エリア更新要求を受信するように構成された要求受信ユニットと、
第1のUEに対応する第1のMVNOを判定するように構成された情報判定ユニットと、
認可要求を総ユーザ数制御装置に送信するように構成された情報送信ユニットであって、認可要求は、少なくとも第1のUEの識別情報と第1のMVNOの識別情報とを含み、その結果、総ユーザ数制御装置は、第1のMVNOの識別情報と第1のUEの識別情報とに従って、総ユーザ数を制御する、情報送信ユニットと
を含む。
【００２２】
上記第8の実施態様に関連して、第1の可能な実施方式では、情報判定ユニットは、UE識別情報とMVNO識別情報との間の対応を検索して、第1のUEの識別情報に対応する第1のMVNOの識別情報を判定するように特に構成される。
【００２３】
第9の実施態様によれば、ネットワーク側の装置が提供され、本装置は、
第1のUEのデタッチ要求を確認するように構成された要求確認ユニットと、
第1のUEに対応する第1のMVNOを判定するように構成された情報判定ユニットと、
更新要求を総ユーザ数制御装置に送信するように構成された情報送信ユニットであって、更新要求は、少なくとも第1のUEの識別情報と第1のMVNOの識別情報とを含み、その結果、総ユーザ数制御装置は、第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除し、更新要求確認情報をネットワーク側の装置に返す、情報送信ユニットと
を含む。
【００２４】
上記第9の実施態様に関連して、第1の可能な実施方式では、要求確認ユニットは、第1のUEが送信したデタッチ要求を受信するように、またはMVNO HSSが送信した第1のUEのデタッチ要求を受信するように、または第1のUEのデタッチ要求を開始するように特に構成される。
【００２５】
上記第9の実施態様および／または第1の可能な実施方式に関連して、第2の可能な実施方式では、
情報判定ユニットは、UE識別情報とMVNO識別情報との間の対応を検索して、第1のUEの識別情報に対応する第1のMVNOの識別情報を判定するように特に構成される。
【００２６】
第10の実施態様によれば、オンラインでアタッチされるユーザの総数を制御するためのシステムが提供され、本システムは、ネットワーク側の装置と、総ユーザ数制御装置とを含み、
ネットワーク側の装置は、第1のUEのアタッチ要求または第1のUEの追跡エリア更新要求を受信し、第1のUEに対応する第1のMVNOを判定し、認可要求を総ユーザ数制御装置に送信するように構成され、認可要求は、少なくとも第1のUEの識別情報と第1のMVNOの識別情報とを含み、
総ユーザ数制御装置は、
ネットワーク側の装置が送信した認可要求を受信し、第1のMVNOの識別情報と第1のUEの識別情報とに従って、第1のMVNOのオンラインでアタッチされるユーザが第1のUEを含むかどうかを判定し、第1のMVNOのオンラインでアタッチされるユーザが第1のUEを含まない場合、第1のMVNOのオンラインでアタッチされるユーザの総数を増やし、第1のUEを第1のMVNOのオンラインでアタッチされるユーザに加え、第1のMVNOのオンラインでアタッチされるユーザの増やした総数が閾値以下である場合、認可成功情報をネットワーク側の装置に返すように構成されるか、または
ネットワーク側の装置が送信した認可要求を受信し、第1のMVNOの識別情報と第1のUEの識別情報とに従って、第1のMVNOのオンラインでアタッチされるユーザが第1のUEを含むかどうかを判定し、第1のMVNOのオンラインでアタッチされるユーザの総数が閾値未満かどうかを判定し、第1のMVNOのオンラインでアタッチされるユーザが第1のUEを含まず、かつ第1のMVNOのオンラインでアタッチされるユーザの総数が閾値未満である場合、第1のMVNOのオンラインでアタッチされるユーザの総数を増やし、第1のUEを第1のMVNOのオンラインでアタッチされるユーザに加え、認可成功情報をネットワーク側の装置に返すように構成される。
【００２７】
第11の実施態様によれば、オンラインでアタッチされるユーザの総数を制御するためのシステムが提供され、本システムは、ネットワーク側の装置と、総ユーザ数制御装置とを含み、
ネットワーク側の装置は、第1のUEのデタッチ要求を確認し、第1のUEに対応する第1のMVNOを判定し、更新要求を総ユーザ数制御装置に送信するように構成され、更新要求は、少なくとも第1のUEの識別情報と第1のMVNOの識別情報とを含み、
総ユーザ数制御装置は、ネットワーク側の装置が送信した更新要求を受信し、更新要求内の第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除し、更新要求確認情報をネットワーク側の装置に返すように構成される。
【００２８】
本発明の実施形態では、総ユーザ数制御装置は、MVNOのオンラインでアタッチされるユーザの数を制御し、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【００２９】
本発明の実施形態における、または従来技術における技術的な解決策をより明確に説明するために、以下、実施形態または従来技術を説明するために必要な添付の図面を簡単に紹介する。当然のことながら、当業者は、創造的労力なしに、これらの添付の図面から他の図面をさらに導出することができる。
【図面の簡単な説明】
【００３０】
【図１】本発明の一実施形態による、オンラインでアタッチされるユーザの総数を制御するための方法の流れ図である。
【図１Ａ】本発明の一実施形態による、ネットワークアーキテクチャの概略図である。
【図１Ｂ】本発明の一実施形態による、ネットワークアーキテクチャの概略図である。
【図２】本発明の一実施形態による、オンラインでアタッチされるユーザの総数を制御するための方法の別の流れ図である。
【図３】本発明の一実施形態による、オンラインでアタッチされるユーザの総数を制御するための方法の別の流れ図である。
【図４】本発明の一実施形態による、オンラインでアタッチされるユーザの総数を制御するための方法の別の流れ図である。
【図５】本発明の一実施形態による、オンラインでアタッチされるユーザの総数を制御するための方法の別の流れ図である。
【図６】本発明の一実施形態による、Attachプロシージャにおける、オンラインでアタッチされるユーザの総数を制御するための方法の流れ図である。
【図７】本発明の一実施形態による、Inter−PLMN TAUプロシージャにおける、オンラインでアタッチされるユーザの総数を制御するための方法の流れ図である。
【図８】本発明の一実施形態による、Detachプロシージャにおける、オンラインでアタッチされるユーザの総数を制御するための方法の流れ図である。
【図９】本発明の一実施形態による、総ユーザ数制御装置の概略的な構造図である。
【図９Ａ】図9Aを参照すると、本発明の一実施形態による、総ユーザ数制御装置の別の概略的な構造図である。
【図１０】本発明の一実施形態による、総ユーザ数制御装置の別の概略的な構造図である。
【図１１】本発明の一実施形態による、ネットワーク側の装置の別の概略的な構造図である。
【図１２】本発明の一実施形態による、ネットワーク側の装置の別の概略的な構造図である。
【図１３】本発明の一実施形態による、オンラインでアタッチされるユーザの総数を制御するためのシステムの別の概略的な構造図である。
【発明を実施するための形態】
【００３１】
当業者に本発明の実施形態における解決策をより良く理解してもらうために、また本発明の実施形態の目的、特徴、および利点をより明確にするために、以下、添付の図面を参照しながら、本発明の実施形態における技術的解決策を詳細にさらに説明する。
【００３２】
図1を参照すると、図1は、本発明の一実施形態による、オンラインでアタッチされるユーザの総数を制御するための方法の流れ図である。本方法は、以下を含む。
【００３３】
ステップ101：総ユーザ数制御装置は、ネットワーク側の装置が送信した要求を受信する。
【００３４】
ネットワーク側の装置が第1のUEのアタッチ要求または第1のUEの追跡エリア更新要求を受信した後、あるいはネットワーク側の装置が、第1のUEのデタッチ要求を確認した後、ネットワーク側の装置は、第1のUEに対応する第1のMVNOを判定する。
【００３５】
ネットワーク側の装置が第1のUEのアタッチ要求または第1のUEの追跡エリア更新要求を受信した場合、ネットワーク側の装置は、認可要求を総ユーザ数制御装置に送信し、認可要求は、少なくとも第1のUEの識別情報と第1のMVNOの識別情報とを含む。ネットワーク側の装置が第1のUEのデタッチ要求を確認した場合、ネットワーク側の装置は、更新要求を総ユーザ数制御装置に送信し、更新要求は、少なくとも第1のUEの識別情報と第1のMVNOの識別情報とを含む。
【００３６】
ステップ102から106は、総ユーザ数制御装置の受信した要求が認可要求である場合に行われ、ステップ112および113は、受信した要求が更新要求である場合に行われる。
【００３７】
認可要求は、UEが属するMVNOのオンラインでアタッチされるユーザの総数が閾値を超えるかどうかを判定するための要求である。更新要求は、UEが属するMVNOのオンラインでアタッチされるユーザの総数を更新するために使用される。
【００３８】
ステップ102：総ユーザ数制御装置は、第1のMVNOの識別情報と第1のUEの識別情報とに従って、第1のMVNOのオンラインでアタッチされるユーザが第1のUEを含むかどうかを判定する。
【００３９】
総ユーザ数制御装置は、第1のMVNOの識別情報に従って、対応する第1のMVNOをまず探し、次いで、第1のMVNOのすべてのオンラインでアタッチされるユーザの識別情報を調べて、オンラインでアタッチされるユーザの識別情報が第1のUEの識別情報を含むかどうかを確かめる。第1のUEの識別情報が含まれている場合、これは第1のUEが第1のMVNOのオンラインでアタッチされるユーザであるということであり、この場合、総ユーザ数制御装置は、第1のMVNOのオンラインでアタッチされるユーザの総数を増やさない、または第1のUEの識別情報が含まれていない場合、これは第1のMVNOのオンラインでアタッチされるユーザが第1のUEを含んでいないということであり、この場合、総ユーザ数制御装置は、ステップ103を行う。
【００４０】
ステップ103：総ユーザ数制御装置は、第1のMVNOのオンラインでアタッチされるユーザの総数を増やし、かつ第1のUEを第1のMVNOのオンラインでアタッチされるユーザに加える。
【００４１】
総ユーザ数制御装置は、第1のMVNOのオンラインでアタッチされるユーザの総数を1だけ増やし、第1のUEを第1のMVNOのオンラインでアタッチされるユーザに加えてよく、具体的には、第1のUEの識別情報を第1のMVNOのオンラインでアタッチされるユーザの識別情報に加えてよい。
【００４２】
第1のMVNOのオンラインでアタッチされるユーザの総数を増やした後、ステップ104がさらに行われる。
【００４３】
ステップ104：第1のMVNOのオンラインでアタッチされるユーザの増やした総数が閾値を超えるかどうかを判定する。
【００４４】
総ユーザ数制御装置は、第1のMVNOのオンラインでアタッチされるユーザの増やした総数が閾値を超えるかどうかを判定し、閾値は、第1のMVNOとMNOとが取り決めた総ユーザ数である。
【００４５】
閾値を超えていない場合、総ユーザ数制御装置は、ステップ105を行い、閾値を超える場合、ステップ106を行う。
【００４６】
ステップ105：総ユーザ数制御装置は、認可成功情報をネットワーク側の装置に返す。
【００４７】
次いで、ネットワーク側の装置は、対応するUEアタッチプロシージャまたは対応するUE追跡エリア更新プロシージャを実行できる。
【００４８】
ステップ106：総ユーザ数制御装置は、認可失敗情報をネットワーク側の装置に返す。
【００４９】
認可失敗情報は、認可失敗原因のフィールドをさらに含んでよく、このフィールドは、具体的には、「ユーザ数が上限に到達」などと設定されてよい。
【００５０】
ステップ112は、ネットワーク側の装置が送信し、総ユーザ数制御装置が受信した要求が、更新要求である場合に行われる。
【００５１】
ステップ112：総ユーザ数制御装置は、更新要求内の第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除する。
【００５２】
総ユーザ数制御装置が更新要求を受信した場合、これは第1のUEが第1のMVNOのオンラインでアタッチされるユーザであるということである。総ユーザ数制御装置は、第1のMVNOの識別情報に従って、対応する第1のMVNOを探し、第1のMVNOのオンラインでアタッチされるユーザの総数を1だけ減らし、第1のMVNOのオンラインでアタッチされるユーザの識別情報から第1のUEの識別情報を削除する。
【００５３】
ステップ113：総ユーザ数制御装置は、更新要求確認情報をネットワーク側の装置に返す。
【００５４】
次いで、ネットワーク側の装置は、第1のUEの関連するデタッチプロシージャを実行できる。
【００５５】
本実施形態では、ネットワーク側の装置は、MMEなどであり得る。総ユーザ数制御装置は、MNOがネットワーク上に配備した新しい論理ネットワークエレメントIWF（Interworking Function、網間接続機能）であってよく、IWFは、事業者の構成ポリシーに従って、MVNOのオンラインでアタッチされるユーザの総数の総数認可を制御するものであり、そのネットワークアーキテクチャを図1Aに示す、または総ユーザ数制御装置は、事業者の構成ポリシーに従って、MVNOのオンラインでアタッチされるユーザの総数を直接制御するMNO HSSであってよく、そのネットワークアーキテクチャを図1Bに示す。2つの異なる解決策は異なるネットワーク構造に対応するが、IWFとMNO HSSとは、MVNOのオンラインでアタッチされるユーザの総数を制御する、同じ機能を実施する。
【００５６】
本発明の本実施形態では、総ユーザ数制御装置は、MVNOのオンラインでアタッチされるユーザの数を制御し、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【００５７】
図2を参照すると、図2は、本発明の一実施形態による、オンラインでアタッチされるユーザの総数を制御するための方法の別の流れ図である。本方法は、以下を含む。
【００５８】
ステップ201：総ユーザ数制御装置は、ネットワーク側の装置が送信した認可要求を受信し、認可要求は、少なくとも第1のユーザ機器UEの識別情報と第1の仮想ネットワーク事業者MVNOの識別情報とを含む。
【００５９】
本実施形態では、認可要求は、別のパラメータをさらに含んでよく、このことは、本実施形態において限定されるものではない。
【００６０】
認可要求は、UEが属するMVNOのオンラインでアタッチされるユーザの総数が閾値を超えるかどうかを判定するための要求である。
【００６１】
ステップ202：総ユーザ数制御装置は、第1のMVNOの識別情報と第1のUEの識別情報とに従って、第1のMVNOのオンラインでアタッチされるユーザが第1のUEを含むかどうかを判定する。
【００６２】
ステップ203：第1のMVNOのオンラインでアタッチされるユーザが第1のUEを含まず、かつ第1のMVNOのオンラインでアタッチされるユーザの総数が閾値未満である場合、総ユーザ数制御装置は、第1のMVNOのオンラインでアタッチされるユーザの総数を増やし、かつ第1のUEを第1のMVNOのオンラインでアタッチされるユーザに加える。
【００６３】
ステップ204：総ユーザ数制御装置は、認可成功情報をネットワーク側の装置に返す。
【００６４】
場合により、別の実施形態では、上記実施形態に基づいて、本実施形態では、本方法は、第1のMVNOのオンラインでアタッチされるユーザが第1のUEを含まず、第1のMVNOのオンラインでアタッチされるユーザの総数が閾値を超える場合、総ユーザ数制御装置は、認可失敗情報をネットワーク側の装置に返すことをさらに含み得る。
【００６５】
本発明の本実施形態では、総ユーザ数制御装置は、MVNOのオンラインでアタッチされるユーザの数を制御し、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【００６６】
図3を参照すると、図3は、本発明の一実施形態による、オンラインでアタッチされるユーザの総数を制御するための方法の別の流れ図である。本方法は、以下を含む。
【００６７】
ステップ301：総ユーザ数制御装置は、ネットワーク側の装置が送信した更新要求を受信し、更新要求は、少なくとも第1のUEの識別情報と第1のMVNOの識別情報とを含む。
【００６８】
更新要求は、UEが属するMVNOのオンラインでアタッチされるユーザの総数を更新するために使用される。
【００６９】
ステップ302：総ユーザ数制御装置は、更新要求内の第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除する。
【００７０】
ステップ303：総ユーザ数制御装置は、更新要求確認情報をネットワーク側の装置に返す。
【００７１】
場合により、別の実施形態では、上記実施形態に基づいて、本実施形態では、本方法は、第1のMVNOのオンラインでアタッチされるユーザが第1のUEを含まず、第1のMVNOのオンラインでアタッチされるユーザの総数が閾値を超える場合、総ユーザ数制御装置は、認可失敗情報をネットワーク側の装置に返すことをさらに含み得る。
【００７２】
本発明の本実施形態では、総ユーザ数制御装置は、MVNOのオンラインでアタッチされるユーザの数を制御し、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【００７３】
図4を参照すると、図4は、本発明の一実施形態による、オンラインでアタッチされるユーザの総数を制御するための方法の別の流れ図である。
【００７４】
本実施形態では、説明のために、ネットワーク側の装置を実行の主体として使用する。本方法は、以下を含み得る。
【００７５】
ステップ401：ネットワーク側の装置は、第1のUEのアタッチ要求または第1のUEの追跡エリア更新要求を受信する。
【００７６】
ステップ402：ネットワーク側の装置は、第1のUEに対応する第1のMVNOを判定する。
【００７７】
ネットワーク側の装置は、アタッチ要求または追跡エリア更新要求内の第1のUEの識別情報を取得し、次いで、UE識別情報とMVNO識別情報との間の、ネットワーク側の装置において予め設定した対応に従って、第1のUEの識別情報に対応する第1のMVNOの識別情報を取得してよい、すなわち、第1のUEに対応する第1のMVNOを取得してよい。ネットワーク側の装置によって第1のUEに対応する第1のMVNOを取得するための方法は複数あり、上記方式は一例にすぎない。
【００７８】
ステップ403：ネットワーク側の装置は、認可要求を総ユーザ数制御装置に送信し、認可要求は、少なくとも第1のUEの識別情報と第1のMVNOの識別情報とを含み、その結果、総ユーザ数制御装置は、第1のMVNOの識別情報と第1のUEの識別情報とに従って、総ユーザ数を制御する。
【００７９】
一実施形態では、認可要求を受信した後、第1のMVNOの識別情報と第1のUEの識別情報とに従って、第1のMVNOのオンラインでアタッチされるユーザが第1のUEを含まない場合、総ユーザ数制御装置は、第1のMVNOのオンラインでアタッチされるユーザの総数を増やし、かつ第1のUEを第1のMVNOのオンラインでアタッチされるユーザに加え、第1のMVNOのオンラインでアタッチされるユーザの増やした総数が閾値以下である場合、総ユーザ数制御装置は、認可成功情報をネットワーク側の装置に返し、閾値は、第1のMVNOとMNOとが取り決めた総ユーザ数である。
【００８０】
別の実施形態では、認可要求を受信した後、総ユーザ数制御装置は、第1のMVNOの識別情報と第1のUEの識別情報とに従って、第1のMVNOのオンラインでアタッチされるユーザが第1のUEを含むかどうかを判定する。第1のMVNOのオンラインでアタッチされるユーザが第1のUEを含まず、かつ第1のMVNOのオンラインでアタッチされるユーザの総数が閾値未満である場合、総ユーザ数制御装置は、第1のMVNOのオンラインでアタッチされるユーザの総数を増やし、かつ第1のUEを第1のMVNOのオンラインでアタッチされるユーザに加え、認可成功情報をネットワーク側の装置に返す。
【００８１】
総ユーザ数制御装置の上記実行プロシージャについては、上記方法実施形態を参照されたく、ここでは細部を説明しない。
【００８２】
本発明の本実施形態では、ネットワーク側の装置は、UEの識別情報とUEに対応するMVNOの識別情報とを総ユーザ数制御装置に送信し、その結果、総ユーザ数制御装置は、MVNOのオンラインでアタッチされるユーザの数を制御でき、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【００８３】
図5を参照すると、図5は、本発明の一実施形態による、オンラインでアタッチされるユーザの総数を制御するための方法の別の流れ図である。
【００８４】
本実施形態では、説明のために、ネットワーク側の装置を実行の主体としてここでも使用する。本方法は、以下を含み得る。
【００８５】
ステップ501：ネットワーク側の装置は、第1のUEのデタッチ要求を確認する。
【００８６】
ネットワーク側の装置が第1のUEのデタッチ要求を確認するプロセスは、具体的には、以下、すなわち、ネットワーク側の装置は、第1のUEが送信したデタッチ要求を受信する、またはネットワーク側の装置は、MVNO HSSが送信した第1のUEのデタッチ要求を受信する、またはネットワーク側の装置は、第1のUEのデタッチ要求を開始するのであってよい。
【００８７】
ステップ502：ネットワーク側の装置は、第1のUEに対応する第1のMVNOを判定する。
【００８８】
この判定するプロセスは、上記ステップ402と同様であり、ここでは細部を説明しない。
【００８９】
ステップ503：ネットワーク側の装置は、更新要求を総ユーザ数制御装置に送信し、更新要求は、少なくとも第1のUEの識別情報と第1のMVNOの識別情報とを含み、その結果、総ユーザ数制御装置は、第1のMVNOの識別情報に従って、第1のMVNOのオンラインでアタッチされるユーザの総数を減らし、かつ第1のUEの識別情報に従って、第1のMVNOのオンラインでアタッチされるユーザから第1のUEを削除し、更新要求確認情報をネットワーク側の装置に返す。
【００９０】
更新要求を受信した後、総ユーザ数制御装置は、第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除し、更新要求確認情報をネットワーク側の装置に返す。
【００９１】
総ユーザ数制御装置の上記実行プロシージャについては、上記方法実施形態を参照されたく、ここでは細部を説明しない。
【００９２】
本発明の本実施形態では、ネットワーク側の装置は、UEの識別情報とUEに対応するMVNOの識別情報とを総ユーザ数制御装置に送信し、その結果、総ユーザ数制御装置は、MVNOのオンラインでアタッチされるユーザの数を制御でき、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【００９３】
オンラインでアタッチされるユーザの総数を制御するための上記方法は、以下、例としてAttachプロシージャ、Inter−PLMN TAUプロシージャ、およびDetachプロシージャを用いて、個別に説明される。
【００９４】
図6を参照すると、図6は、本発明の一実施形態による、Attachプロシージャにおける、オンラインでアタッチされるユーザの総数を制御するための方法の流れ図である。
【００９５】
本方法は、以下を含み得る。
【００９６】
ステップ601：UEは、アタッチ要求メッセージをMMEに送信する。
【００９７】
MMEは、UEに対して認証を行う。認証が失敗した場合、MMEは、UEのアタッチ要求を拒否する。UEは、タイマを有効にし、タイマがタイムアウトした後に、MMEに対するアタッチ要求を再び開始してもよいし、さもなければアタッチ要求が拒否された後に、UEは、別のMVNOネットワークに対するアタッチ要求を開始してもよい。MMEがUEを認証した後、かつMMEがUEの先のデタッチの後に変わった場合またはMMEがUEの加入者データ情報を持たない場合、MMEは、位置更新要求メッセージをMVNO HSSに送信し、MMEは、UEの識別情報、例えばIMSI情報をメッセージに加え、UEのIMSI情報は、UEが送信したアタッチ要求メッセージに含まれ得る。
【００９８】
MVNO HSSは、MMEの位置更新要求を確認し、位置更新確認メッセージをMMEに送信し、UEの加入者データ情報をMMEに送信し、UEの位置更新確認メッセージを受信した後、MMEは、ステップ602を行う。
【００９９】
ステップ602：MMEは、UEのIMSIに従って、UEが属するMVNOを判定する。
【０１００】
UEのIMSIとMVNOの識別情報（例えば、MVNO ID）との間のマッピングテーブルは、MMEに予め保管されてよい。MMEは、UEのIMSIに従って、かつマッピングテーブルを検索することによって、UEが属するMVNOを判定する。MVNO IDは、新しい情報要素であってもよいし、UEが属するMVNOネットワークを識別できる既存の識別情報、例えばPLMN IDであってもよい。
【０１０１】
ステップ603：MMEは、認可要求メッセージをIWF／MNO HSSに送信し、UEに対応するMVNOの識別情報とUEのIMSIとをIWF／MNO HSSに送信する。
【０１０２】
MMEは、MVNO IDとUEのIMSIとをIWF／MNO HSSに送信し、MVNOのオンラインでアタッチされるユーザの総数認可を要求する。
【０１０３】
ステップ604：MVNOのオンラインでアタッチされるユーザがUEを含まないと判定した場合、IWF／MNO HSSは、UEのIMSIをバックアップし、MVNO IDで識別したMVNOのオンラインでアタッチされるユーザの総数を1つだけ増やす。
【０１０４】
IWF／MNO HSSがMMEの認可要求メッセージを受信した後、IWF／MNO HSSは、UEのIMSIが、MVNO IDに対応するオンラインでアタッチされるユーザのIMSIに存在するかどうかを検索する。UEのIMSIが存在した場合、これはUEがMVNOのオンラインでアタッチされるユーザであるということであり、この場合、ステップ606が直接行われ、またはUEのIMSIが存在しない場合、IWF／MNO HSSは、UEのIMSIをバックアップし、MVNO IDで識別したMVNOのオンラインでアタッチされるユーザの総数を1つだけ増やし、次いで、ステップ605を行う。
【０１０５】
ステップ605：IWF／MNO HSSは、MVNOのオンラインでアタッチされるユーザの増やした総数が閾値を超えるかどうかを判定する。
【０１０６】
閾値は、MVNOとMNOとが取り決めた総ユーザ数である。
【０１０７】
ステップ606：IWF／MNO HSSは、認可応答メッセージをMMEに送信する。
【０１０８】
閾値を超えていない場合、IWF／MNO HSSは、認可成功を示す認可応答メッセージをMMEに返し、このメッセージは、認可されたUEのIMSIを含み得る。メッセージを受信した後、MMEは、別のアタッチプロシージャを実行してよい。
【０１０９】
閾値を超える場合、IWF／MNO HSSが行う総数認可が失敗し、IWF／MNO HSSは、認可失敗を示す認可応答メッセージをMMEに送信する。応答メッセージは、認可に失敗したUEのIMSIを含んでよく、失敗原因のフィールドをさらに含んで、Cause値は、「ユーザ数が上限に到達」に設定されてよい。
【０１１０】
当然のことながら、本実施形態では、第1のMVNOのオンラインでアタッチされるユーザが第1のUEを含むかどうかをまず判定してよい。第1のUEが含まれていない場合、第1のMVNOのオンラインでアタッチされるユーザの総数が閾値未満であるかどうかを判定する。第1のMVNOのオンラインでアタッチされるユーザの総数が閾値未満である場合、総ユーザ数制御装置は、第1のMVNOのオンラインでアタッチされるユーザの総数を増やし、かつ第1のUEを第1のMVNOのオンラインでアタッチされるユーザに加える。
【０１１１】
本発明の本実施形態では、MVNOのオンラインでアタッチされるユーザの数がアタッチプロシージャで制御されることが実施され、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【０１１２】
図7を参照すると、図7は、本発明の一実施形態による、Inter−PLMN TAUプロシージャにおける、オンラインでアタッチされるユーザの総数を制御するための方法の流れ図である。
【０１１３】
本方法は、以下を含み得る。
【０１１４】
ステップ701：UEは、追跡エリア更新要求メッセージを新（new）MMEに送信する。
【０１１５】
追跡エリア更新要求メッセージは、UEのIMSI情報を含む。new MMEは、コンテキスト要求メッセージをUEが属する旧（old）MMEに送信し、UEのコンテキスト情報を取得するよう要求し、old MMEは、コンテキスト応答メッセージをnew MMEに送信し、UEのMMコンテキスト情報、UEのEPSベアラコンテキスト情報などをnew MMEに送信する。new MMEがUEの加入者データ情報を持たない場合、new MMEは、位置更新要求メッセージをMVNO HSSに送信し、メッセージは、UEのIMSI情報を運ぶ。MVNO HSSは、位置更新確認メッセージをnew MMEに送信し、UEの加入者データ情報をnew MMEに送信する。
【０１１６】
ステップ702：new MMEは、UEのIMSIに従って、UEが属するMVNOを判定する。
【０１１７】
ステップ703：new MMEは、認可要求メッセージをIWF／MNO HSSに送信し、UEに対応するMVNOの識別情報とUEのIMSIとをIWF／MNO HSSに送信する。
【０１１８】
ステップ704：MVNOのオンラインでアタッチされるユーザがUEを含まないと判定した場合、IWF／MNO HSSは、UEのIMSIをバックアップし、MVNO IDで識別したMVNOのオンラインでアタッチされるユーザの総数を1つだけ増やす。
【０１１９】
ステップ705：IWF／MNO HSSは、MVNOのオンラインでアタッチされるユーザの総数が閾値を超えるかどうかを判定する。
【０１２０】
閾値は、MVNOとMNOとが取り決めた総ユーザ数である。閾値を超えていない場合、ステップ706を行う。閾値を超える場合、ステップ707を行う。
【０１２１】
ステップ706：IWF／MNO HSSは、認可応答メッセージをnew MMEに送信する。
【０１２２】
閾値を超えていない場合、IWF／MNO HSSは、認可成功を示す認可応答メッセージをnew MMEに送信する、またはIWF／MNO HSSが行う総数認可が失敗した場合、IWF／MNO HSSは、認可失敗を示す認可応答メッセージをnew MMEに送信する。
【０１２３】
上記ステップ702から706は、上記実施形態のステップ601から606と同様であり、ここでは細部を説明しない。
【０１２４】
加えて、old MMEは、old MMEが属するネットワークのIWF／MNO HSSと情報を交換する。IWF／MNO HSSは、UEのIMSIを削除し、MVNO IDで識別したMVNOのオンラインでアタッチされるユーザの総数を1つだけ減らし、old MMEが属するネットワークのMVNOのオンラインでアタッチされるユーザの総数を更新する。
【０１２５】
UEの追跡エリア更新要求が拒否された場合、UEはタイマを有効にし、タイマがタイムアウトした後に、追跡エリア更新要求を再び開始してもよい。
【０１２６】
本発明の本実施形態では、MVNOのオンラインでアタッチされるユーザの数がInter−PLMN TAUプロシージャで制御されることが実施され、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【０１２７】
図8を参照すると、図8は、本発明の一実施形態による、Detachプロシージャにおける、オンラインでアタッチされるユーザの総数を制御するための方法の流れ図である。
【０１２８】
本方法は、以下を含み得る。
【０１２９】
ステップ801：MMEは、UEのデタッチ要求を確認する。
【０１３０】
UEのデタッチ要求は、MMEに対してUEが開始する明示的デタッチ要求であってもよい、またはMMEが開始するUEの暗黙的デタッチ要求であってもよい、またはMVNO HSSが開始するUEの暗黙的デタッチ要求であってもよく、具体的には、MVNO HSSが送信し、MMEが受信した位置取り消しメッセージであってよい。
【０１３１】
UEのデタッチ要求を確認した後、MMEは、ステップ802を行う。上記デタッチ要求は、UEのIMSIを含む。
【０１３２】
ステップ802：MMEは、UEのIMSIに従って、UEが属するMVNOを判定する。
【０１３３】
このステップは、上記ステップ602と同様であり、ここでは細部を説明しない。
【０１３４】
ステップ803：MMEは、更新要求メッセージをIWF／MNO HSSに送信し、UEに対応するMVNOの識別情報とUEのIMSIとをIWF／MNO HSSに送信する。
【０１３５】
ステップ804：IWF／MNO HSSは、MVNO IDで識別したMVNOのオンラインでアタッチされるユーザの識別情報からUEのIMSIを削除し、MVNO IDで識別したMVNOのオンラインでアタッチされるユーザの総数を1つだけ減らし、MVNOのオンラインでアタッチされるユーザの総数を更新する。
【０１３６】
ステップ805：IWF／MNO HSSは、更新要求確認メッセージをMMEに返す。
【０１３７】
MMEは、UEのデタッチ受諾メッセージを返し、関連するデタッチプロシージャを実行する。
【０１３８】
本発明の本実施形態では、MVNOのオンラインでアタッチされるユーザの数がデタッチプロシージャで制御されることが実施され、その結果、MNOは、MVNOのオンラインでアタッチされるユーザの数を適時正確に計数できる。
【０１３９】
本発明の上記実施形態は、HSSがMVNOによって配備されるMVNO側でコアネットワークが主に共有され、かつ別のコアネットワーク装置がMNOのネットワーク装置を共有するシナリオに適用されてよい。
【０１４０】
以上、本発明の方法実施形態を説明したが、以下、上記方法を実施するための装置を紹介する。
【０１４１】
図9を参照すると、図9は、本発明の一実施形態による、総ユーザ数制御装置の概略的な構造図である。
【０１４２】
総ユーザ数制御装置は、
ネットワーク側の装置が送信した認可要求を受信するように構成される認可要求受信ユニット901であって、認可要求は、少なくとも第1のUE識別情報と第1のMVNO識別情報とを含み、第1のMVNOの識別情報は、第1のUEに対応し、第1のUEのアタッチ要求または第1のUEの追跡エリア更新要求を受信した後にネットワーク側の装置が判定した第1のMVNOである、認可要求受信ユニット901と、
第1のMVNOの識別情報と第1のUEの識別情報とに従って、第1のMVNOのオンラインでアタッチされるユーザが第1のUEを含むかどうかを判定し、かつ第1のMVNOのオンラインでアタッチされるユーザの総数が閾値未満かどうかを判定するように構成される、判定ユニット902と、
判定ユニット902が、第1のMVNOのオンラインでアタッチされるユーザが第1のUEを含まず、かつ第1のMVNOのオンラインでアタッチされるユーザの総数が閾値未満であると判定した場合、第1のMVNOのオンラインでアタッチされるユーザの総数を増やし、かつ第1のUEを第1のMVNOのオンラインでアタッチされるユーザに加えるように構成される、総ユーザ数制御ユニット903と、
判定ユニット902が、第1のMVNOのオンラインでアタッチされるユーザが第1のUEを含まず、かつ第1のMVNOのオンラインでアタッチされるユーザの総数が閾値未満であると判定した場合、認可成功情報をネットワーク側の装置に返すように構成される、認可応答送信ユニット904と、
を含む。
【０１４３】
閾値は、第1のMVNOと移動体通信事業者MNOとが取り決めた総ユーザ数である。
【０１４４】
本発明の本実施形態では、総ユーザ数制御装置は、MVNOのオンラインでアタッチされるユーザの数を制御し、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【０１４５】
別の実施形態では、認可応答送信ユニット904は、判定ユニット902が、第1のMVNOのオンラインでアタッチされるユーザが第1のUEを含まず、かつ第1のMVNOのオンラインでアタッチされるユーザの総数が閾値を超えると判定した場合、認可失敗情報をネットワーク側の装置に返すようにさらに構成される。
【０１４６】
図9Aを参照すると、図9Aは、本発明の一実施形態による、総ユーザ数制御装置の別の概略的な構造図である。本装置は、認可要求受信ユニット91と、第1の判定ユニット92と、総ユーザ数制御ユニット93と、第2の判定ユニット94と、認可応答送信ユニット95とを含む。
【０１４７】
認可要求受信ユニット91は、ネットワーク側の装置が送信した認可要求を受信するように構成され、認可要求は、少なくとも第1のUEの識別情報と第1のMVNOの識別情報とを含む。
【０１４８】
第1の判定ユニット92は、第1のMVNOの識別情報と第1のUEの識別情報とに従って、第1のMVNOのオンラインでアタッチされるユーザが第1のUEを含むかどうかを判定するように構成される。
【０１４９】
総ユーザ数制御ユニット93は、第1の判定ユニットが、第1のMVNOのオンラインでアタッチされるユーザが第1のUEを含まないと判定した場合、第1のMVNOのオンラインでアタッチされるユーザの総数を増やし、かつ第1のUEを第1のMVNOのオンラインでアタッチされるユーザに加えるように構成される。
【０１５０】
第2の判定ユニット94は、第1のユーザ管理ユニットが増やした、第1のMVNOのオンラインでアタッチされるユーザの総数が、閾値以下であるかどうかを判定するように構成される。
【０１５１】
認可応答送信ユニット95は、第2の判定ユニットが、第1のMVNOのオンラインでアタッチされるユーザの増やした総数が閾値以下であると判定した場合、認可成功情報をネットワーク側の装置に返すように構成される。
【０１５２】
場合により、別の実施形態では、認可応答送信ユニットは、第2の判定ユニットが、第1のMVNOのオンラインでアタッチされるユーザの総数が閾値を超えると判定した場合、認可失敗情報をネットワーク側の装置に返すようにさらに構成される。
【０１５３】
本装置における各ユニットの機能の実施プロセスについては、上記方法における対応するステップの実施プロセスを参照されたく、ここでは細部を説明しない。
【０１５４】
図10を参照すると、図10は、本発明の一実施形態による、総ユーザ数制御装置の別の概略的な構造図である。
【０１５５】
総ユーザ数制御装置は、
ネットワーク側の装置が送信した更新要求を受信するように構成される更新要求受信ユニット1001であって、更新要求は、少なくとも第1のUE識別情報と第1のMVNO識別情報とを含み、第1のMVNOの識別情報は、第1のUEに対応し、第1のUEのデタッチ要求を確認した後にネットワーク側の装置が判定した第1のMVNOである、更新要求受信ユニット1001と、
更新要求内の第1のMVNOの識別情報に従って、第1のMVNOのオンラインでアタッチされるユーザの総数を減らし、かつ第1のUEの識別情報に従って、第1のMVNOのオンラインでアタッチされるユーザから第1のUEを削除するように構成される、総ユーザ数制御ユニット1002と、
更新要求確認情報をネットワーク側の装置に返すように構成される、更新応答送信ユニット1003と、
を含む。
【０１５６】
本発明の本実施形態では、総ユーザ数制御装置は、MVNOのオンラインでアタッチされるユーザの数を制御し、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【０１５７】
図11を参照すると、図11は、本発明の一実施形態による、ネットワーク側の装置の別の概略的な構造図である。
【０１５８】
ネットワーク側の装置は、
第1のUEのアタッチ要求または第1のUEの追跡エリア更新要求を受信するように構成される、要求受信ユニット1101と、
第1のUEに対応する第1のMVNOを判定するように構成される、情報判定ユニット1102と、
認可要求を総ユーザ数制御装置に送信するように構成される情報送信ユニット1103であって、認可要求は、少なくとも第1のUEの識別情報と第1のMVNOの識別情報とを含み、その結果、総ユーザ数制御装置は、第1のMVNOの識別情報と第1のUEの識別情報とに従って、総ユーザ数を制御する、情報送信ユニット1103と、
を含み得る。
【０１５９】
総ユーザ数制御装置が第1のMVNOの識別情報と第1のUEの識別情報とに従って総ユーザ数を制御することは、具体的には、
第1のMVNOのオンラインでアタッチされるユーザが第1のUEを含まない場合、第1のMVNOのオンラインでアタッチされるユーザの総数を増やし、かつ第1のUEを第1のMVNOのオンラインでアタッチされるユーザに加え、第1のMVNOのオンラインでアタッチされるユーザの総数が閾値以下である場合、認可成功情報をネットワーク側の装置に返し、閾値は、第1のMVNOとMNOとが取り決めた総ユーザ数である、
ということである。
【０１６０】
本発明の本実施形態では、ネットワーク側の装置は、UEの識別情報とUEに対応するMVNOの識別情報とを総ユーザ数制御装置に送信し、その結果、総ユーザ数制御装置は、MVNOのオンラインでアタッチされるユーザの数を制御でき、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【０１６１】
別の実施形態では、情報判定ユニット1102は、UE識別情報とMVNO識別情報との間の対応を検索して、第1のUEの識別情報に対応する第1のMVNOの識別情報を判定するように特に構成される。
【０１６２】
図12を参照すると、図12は、本発明の一実施形態による、別のネットワーク側の装置の概略的な構造図である。
【０１６３】
ネットワーク側の装置は、
第1のUEのデタッチ要求を確認するように構成される、要求確認ユニット1201と、
第1のUEに対応する第1のMVNOを判定するように構成される、情報判定ユニット1202と、
更新要求を総ユーザ数制御装置に送信するように構成される情報送信ユニット1203であって、更新要求は、少なくとも第1のUEの識別情報と第1のMVNOの識別情報とを含み、その結果、総ユーザ数制御装置は、第1のMVNOの識別情報に従って、第1のMVNOのオンラインでアタッチされるユーザの総数を減らし、かつ第1のUEの識別情報に従って、第1のMVNOのオンラインでアタッチされるユーザから第1のUEを削除し、更新要求確認情報をネットワーク側の装置に返す、情報送信ユニット1203と、
を含み得る。
【０１６４】
本発明の本実施形態では、ネットワーク側の装置は、UEの識別情報とUEに対応するMVNOの識別情報とを総ユーザ数制御装置に送信し、その結果、総ユーザ数制御装置は、MVNOのオンラインでアタッチされるユーザの数を制御でき、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【０１６５】
別の実施形態では、要求確認ユニット1201は、第1のUEが送信したデタッチ要求を受信する、またはMVNO HSSが送信した第1のUEのデタッチ要求を受信する、または第1のUEのデタッチ要求を開始するように特に構成される。
【０１６６】
情報判定ユニット1202は、UE識別情報とMVNO識別情報との間の対応を検索して、第1のUEの識別情報に対応する第1のMVNOの識別情報を判定するように特に構成される。
【０１６７】
図13を参照すると、図13は、本発明の一実施形態による、オンラインでアタッチされるユーザの総数を制御するためのシステムの別の概略的な構造図である。
【０１６８】
本システムは、ネットワーク側の装置1301と、総ユーザ数制御装置1302とを含む。
【０１６９】
ネットワーク側の装置1301は、第1のUEのアタッチ要求または第1のUEの追跡エリア更新要求を受信し、第1のUEに対応する第1のMVNOを判定し、認可要求を総ユーザ数制御装置1302に送信するように構成され、認可要求は、少なくとも第1のUEの識別情報と第1のMVNOの識別情報とを含む。
【０１７０】
総ユーザ数制御装置1302は、ネットワーク側の装置1301が送信した認可要求を受信し、第1のMVNOの識別情報と第1のUEの識別情報とに従って、第1のMVNOのオンラインでアタッチされるユーザが第1のUEを含むかどうかを判定し、第1のMVNOのオンラインでアタッチされるユーザが第1のUEを含まない場合、第1のMVNOのオンラインでアタッチされるユーザの総数を増やし、かつ第1のUEを第1のMVNOのオンラインでアタッチされるユーザに加え、第1のMVNOのオンラインでアタッチされるユーザの増やした総数が閾値以下である場合、認可成功情報をネットワーク側の装置に返し、閾値は、第1のMVNOと移動体通信事業者MNOとが取り決めた総ユーザ数であるように構成され、または
総ユーザ数制御装置1302は、ネットワーク側の装置が送信した認可要求を受信し、第1のMVNOの識別情報と第1のUEの識別情報とに従って、第1のMVNOのオンラインでアタッチされるユーザが第1のUEを含むかどうかを判定し、第1のMVNOのオンラインでアタッチされるユーザの総数が閾値未満かどうかを判定し、第1のMVNOのオンラインでアタッチされるユーザが第1のUEを含まず、かつ第1のMVNOのオンラインでアタッチされるユーザの総数が閾値未満である場合、第1のMVNOのオンラインでアタッチされるユーザの総数を増やし、第1のUEを第1のMVNOのオンラインでアタッチされるユーザに加え、認可成功情報をネットワーク側の装置に返すように構成される。
【０１７１】
本発明の本実施形態では、総ユーザ数制御装置は、MVNOのオンラインでアタッチされるユーザの数を制御し、その結果、MNOは、MVNOのオンラインでアタッチされるユーザの数を適時正確に計数でき、かつMVNOのオンラインでアタッチされるユーザの数がMNOが設定した総ユーザ数を超えないように、MVNOのオンラインでアタッチされるユーザの総数を効果的に制御できる。
【０１７２】
本発明の一実施形態は、オンラインでアタッチされるユーザの総数を制御するための別のシステムをさらに提供し、本システムは、ネットワーク側の装置と総ユーザ数制御装置とを含む。
【０１７３】
ネットワーク側の装置は、第1のUEのデタッチ要求を確認し、第1のUEに対応する第1のMVNOを判定し、更新要求を総ユーザ数制御装置に送信するように構成され、更新要求は、少なくとも第1のUEの識別情報と第1のMVNOの識別情報とを含む。
【０１７４】
総ユーザ数制御装置は、ネットワーク側の装置が送信した更新要求を受信し、更新要求内の第1のMVNOの識別情報に従って、第1のMVNOのオンラインでアタッチされるユーザの総数を減らし、第1のUEの識別情報に従って、第1のMVNOのオンラインでアタッチされるユーザから第1のUEを削除し、更新要求確認情報をネットワーク側の装置に返すように構成される。
【０１７５】
当業者であれば、本明細書で開示した各実施形態において説明した例と組み合わせて、電子的ハードウェアまたはコンピュータソフトウェアと電子的ハードウェアとの組み合わせによって、ユニットおよびアルゴリズムステップを実施してよいことを承知しているはずである。機能をハードウェアで行うかソフトウェアで行うかは、技術的解決策の具体的なアプリケーションと設計制約条件とによって決まる。当業者は、異なる方法を使用して、それぞれの具体的なアプリケーションに対して、説明された機能を実施できるが、こうした実施が、本発明の範囲を超えるものであると見なすべきではない。
【０１７６】
当業者であれば、説明を簡便にする目的で、上記のシステム、装置およびユニットの詳細な動作プロセスについては、上記方法実施形態における対応するプロセスを参照できることを明確に理解するはずであり、ここでは細部を説明しない。
【０１７７】
本出願において提供されるいくつかの実施形態においては、開示のシステム、装置、および方法を他のやり方で実装することもできることを理解されたい。例えば、説明された装置実施形態は単なる例示にすぎない。例えば、ユニットの分割は単なる論理的機能分割にすぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示された、または論じられた相互結合または直接結合または通信接続を、いくつかのインターフェースを使用して実現することもできる。装置間またはユニット間の間接結合または通信接続は、電子的形態、機械的形態、または他の形態として実現することができる。
【０１７８】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０１７９】
加えて、本発明の実施形態における機能ユニットが1つの処理ユニットへ統合される場合もあり、ユニットのそれぞれが物理的に独立して存在する場合もあり、または2つ以上のユニットが1つのユニットへ統合される場合もある。
【０１８０】
機能がソフトウェア機能ユニットの形態で実現され、独立した製品として販売される場合、機能は、コンピュータ可読記憶媒体に記憶することができる。そうした理解に基づき、本発明の技術解決策を本質的に、または従来技術に寄与する部分を、または技術的な解決策の一部を、ソフトウェア製品の形態で実現することができる。コンピュータソフトウェア製品は記憶媒体に記憶されており、（パーソナルコンピュータ、サーバ、もしくはネットワーク機器などとすることができる）コンピュータデバイスまたはプロセッサ（processor）に、本発明の各実施形態で記述されている方法のステップの全部または一部を実行するよう命令するためのいくつかの命令を含む。上記記憶媒体は、USBフラッシュドライブ、取り外し可能ハードディスク、読取り専用メモリ（ROM、Read−Only Memory）、ランダム・アクセス・メモリ（RAM、Random Access Memory）、磁気ディスク、光ディスクといった、プログラムコードを記憶することができる任意の媒体を含む。
【０１８１】
上記の説明は、単に本発明の具体的な実施方式にすぎず、本発明の保護範囲を限定することを意図するものではない。本発明において開示された技術的範囲内にあり、当業者によって容易に想到される、あらゆる変形や置き換えは、本発明の保護範囲内に含まれるものとする。したがって、本発明の保護範囲は、特許請求の範囲の保護範囲に属する。
【符号の説明】
【０１８２】
91  認可要求受信ユニット
92  第1の判定ユニット
93  総ユーザ数制御ユニット
94  第2の判定ユニット
95  認可応答送信ユニット
901  認可要求受信ユニット
902  判定ユニット
903  総ユーザ数制御ユニット
904  認可応答送信ユニット
1001  更新要求受信ユニット
1002  総ユーザ数制御ユニット
1003  更新応答送信ユニット
1101  要求受信ユニット
1102  情報判定ユニット
1103  情報送信ユニット
1201  要求確認ユニット
1202  情報判定ユニット
1203  情報送信ユニット
1301  ネットワーク側の装置
1302  総ユーザ数制御装置
【図１】
0006456409.tif 000002
【図１Ａ】
0006456409.tif 000003
【図１Ｂ】
0006456409.tif 000004
【図２】
0006456409.tif 000005
【図３】
0006456409.tif 000006
【図４】
0006456409.tif 000007
【図５】
0006456409.tif 000008
【図６】
0006456409.tif 000009
【図７】
0006456409.tif 000010
【図８】
0006456409.tif 000011
【図９】
0006456409.tif 000012
【図９Ａ】
0006456409.tif 000013
【図１０】
0006456409.tif 000014
【図１１】
0006456409.tif 000015
【図１２】
0006456409.tif 000016
【図１３】
0006456409.tif 000017